(57)【要約】【課題】サーバからコンテンツを受信して画面表示するクライアント側にフレーム分割のツールを設けることにより、サーバのコンテンツに影響を与えずに受信コンテンツ閲覧の際の利便化を図ることを目的とする。【解決手段】クライアントのｈｔｔｐブラウザ２２がＷＷＷサーバ１のコンテンツ（フレーム情報を含む）を取得して、当該サーバのＵＲＬに対応したファイル名を作成し、このファイル名で当該コンテンツをブラウザキャッシュ２１に保持する。ユーザは、表示画面フレームの分割方向および分割比を指定する。フレームテンプレート変更部２２ａが初期フレームテンプレート２４の所定タグにこれらのファイル名，分割方向および分割比を代入する。フレーム分割部２２ｂがこの代入後のフレームテンプレート２４ｄおよびブラウザキャッシュ２１に保持されているフレーム情報に基づいてフレーム分割表示処理を行なう。【選択図】  図３
2004246763.tif 000002
【特許請求の範囲】
【請求項１】
サーバから送信されたコンテンツを受信するステップと、
前記コンテンツを、前記コンテンツに対応するフレーム分割方法を格納した記憶手段中の前記フレーム分割方法に基づいてフレーム分割するステップ
をコンピュータに実行させるためのフレーム分割プログラム。
【請求項２】
前記フレーム分割ステップは、テンプレート格納した記憶手段中のテンプレートを用いてフレーム分割することを特徴とする請求項１記載のフレーム分割プログラム。
【請求項３】
サーバから送信されたコンテンツを受信するステップと、
前記コンテンツを、所定のルールに基づいてフレーム分割準備ファイルに変換するステップと、
前記フレーム分割準備ファイルを、前記コンテンツに対応するフレーム分割方法を格納した記憶手段中の前記フレーム分割方法に基づいてフレーム分割用ファイルに加工するステップ
をコンピュータに実行させるためのフレーム分割プログラム。
【請求項４】
前記加工ステップは、テンプレート格納した記憶手段中のテンプレートを用いて前記フレーム分割準備ファイルを加工することを特徴とする請求項３記載のフレーム分割プログラム。
【発明の詳細な説明】
【０００１】
【発明の属する技術分野】
本発明は、サーバからクライアントに送られた各種コンテンツを当該クライアントの表示画面に出力する際のフレーム分割に関する。
【０００２】
例えばＷＷＷブラウザやパーサなどを利用してウェブサイトのコンテンツを閲覧することを想定したときの、クライアント側での動的なフレーム分割を対象とする。
【０００３】
クライアント（ユーザ）が、例えばウェブサイトから取得したテキスト，画像などのコンテンツを閲覧する際に、その表示画面のフレームをユーザ側で任意に設定できることが望ましく、本発明はこのような要請に応えるものである。
【０００４】
【従来の技術】
従来、ウェブサイトなどの各種サーバからクライアント側に提供されるコンテンツの場合、もっぱらその提供者がユーザの使い勝手を想定した上で当該コンテンツのフレーム分割を行なっていた。
【０００５】
すなわち、サーバから取得したコンテンツについて、その表示画面ののフレーム分割をクライアントのユーザ側で任意に設定することは行なわれていない。
【０００６】
【発明が解決しようとする課題】
このように、従来の、サーバ側のコンテンツを取得してクライアント側で画面表示する場合において、クライアント（ユーザ）は当該コンテンツの表示フレームを自由に分割できない態様になっていた。
【０００７】
そのため、クライアント（ユーザ）がコンテンツを快適に閲覧できるかどうかはサーバ側のコンテンツ提供者の設定に依存しており、利便性の高いユーザ使用環境が構築されにくいという問題点があった。
【０００８】
そこで、本発明では、サーバからコンテンツを受信して画面表示するクライアント側にフレーム分割のツールを設けることにより、サーバ上のコンテンツに影響を与えずに、受信コンテンツ閲覧の際の利便化を図ることを目的とする。
【０００９】
【課題を解決するための手段】
本発明は、この課題を次のようにして解決する。
（１）サーバから送信されたコンテンツを受信するステップと、前記コンテンツを、前記コンテンツに対応するフレーム分割方法を格納した記憶手段中の前記フレーム分割方法（例えばユーザが後述の入力部２５から入力してメモリやレジスタなどに保持された「分割方向」や「分割比」などのデータ）に基づいてフレーム分割するステップとを、コンピュータに実行させるためのフレーム分割プログラムを用いる。
（２）上記（１）において、前記フレーム分割ステップは、テンプレート格納した記憶手段中のテンプレート（例えば後述のフレームテンプレート）を用いてフレーム分割する。
（３）サーバから送信されたコンテンツを受信するステップと、前記コンテンツを、所定のルール（例えば図７の対応付け）に基づいてフレーム分割準備ファイル（例えば後述の（ｓ１３），（ｓ１８）  などに対応したファイル）に変換するステップと、前記フレーム分割準備ファイルを、前記コンテンツに対応するフレーム分割方法を格納した記憶手段中の前記フレーム分割方法（例えばユーザが後述の入力部２５に入力してメモリやレジスタなどに保持された分割方向や分割比などのデータ）に基づいてフレーム分割用ファイル（例えば後述の（ｓ３１），（ｓ３２）  などに対応したファイル）に加工するステップとを、コンピュータに実行させるためのフレーム分割プログラムを用いる。
（４）上記（３）において、前記加工ステップは、テンプレート格納した記憶手段中のテンプレート（例えば後述のフレームテンプレート）を用いて前記フレーム分割準備ファイルを加工する。
【００１０】
本発明は、このように、サーバ側から取得したコンテンツの表示フレームをユーザが指定する内容（分割比，分割方向）で分割し、これによりサーバ上のコンテンツに影響を与えずにコンテンツ閲覧時の利便性を高めている。
【００１１】
また、取得コンテンツのファイル名として閲覧先サーバの識別情報（ＵＲＬなど）に対応したものを用い、かつ当該ファイル名をユーザ指定の分割比，分割方向などとともにフレーム分割表示用データとして用い、これにより分割フレームへの表示コンテンツの割当て処理を効率的に実行している。
【００１２】
また、フレーム分割表示用データが設定されるテンプレートを用い、これにより当該データの設定処理の簡単化，効率化を図っている。
【００１３】
【発明の実施の形態】
図１〜図１３を参照して本発明の実施の形態を説明する。
【００１４】
なお、図１および図３は、本発明の特徴であるフレーム分割を明確にするため、サーバから取得したコンテンツの内容データ（文字，表，図形，画像などのデータ）の流れを示していない。すなわちフレーム情報のみを明示している。
【００１５】
これらの図において、
１は、ウェブサイトを構成するＷＷＷサーバ，
１１は、テキスト，表，図形，画像などのデータおよび画面設定用のフレーム情報などからなるＷＷＷコンテンツ（ｈｔｍｌファイルなど）を格納した記憶装置，
１２は、クライアントが指定して送信するＵＲＬ（Ｕｎｉｆｏｒｍ  Ｒｅｓｏｕｒｃｅ  Ｌｏｃａｔｏｒｓ）  およびＧｅｔメソッドに基づき、当該ＵＲＬのウェブページをＷＷＷコンテンツから取り出して当該クライアントに送信するｈｔｔｐサーバ（ソフトウェア），
２は、インターネットなどの通信ネットワーク経由でＷＷＷサーバ１にアクセスして任意のコンテンツの取得要求を送るＷＷＷクライアント，
２１は、ＷＷＷサーバ１から受け取ったコンテンツを当該サーバのＵＲＬ対応のファイル名（図７参照）で保持するブラウザキャッシュ，
２２は、ブラウザキャッシュ２１に保持されたコンテンツを解析して画面表示するためのｈｔｔｐブラウザ〔Ｉｎｔｅｒｎｅｔ  Ｅｘｐｌｏｒｅｒ，  Ｎｅｔｓｃａｐｅ  （登録商標）などのソフトウェア〕，
２２ａは、後述のフレームテンプレート２４の内容を、ＷＷＷサーバ１から受け取ったコンテンツのファイル名や、ユーザが指定した分割方向，分割比などの各データに基づいて変更するフレームテンプレート変更部，
２２ｂは、後述のフレームテンプレート２４およびブラウザキャッシュ２１のフレーム情報に基づいてフレーム分割処理を行なうフレーム分割部，
２２ｃは、ｈｔｔｐサーバ１２が送信したコンテンツのＵＲＬから当該コンテンツのファイル名を作成するファイル名作成部（図７参照），
２３は、表示画面のフレーム分割用のテンプレートファイル（を保持した記憶手段），
２４は、テンプレートファイル２３から取り出した初期状態（分割比１００％：分割なし）のフレームテンプレート，
２４ａ〜２４ｄは、フレームテンプレート２４の＜ＴＩＴＬＥ＞  タグや、＜ＦＲＡＭＥＳＥＴ＞タグ，＜ＦＲＡＭＥ＞  タグを、アクセス先のＵＲＬおよびユーザ指定の「分割比」などに基づいて変更した後のフレームテンプレート，
２５は、ユーザが、ＵＲＬ，Ｇｅｔメソッド，分割方向や分割比などを指定するときに用いる入力部（図１２参照），
をそれぞれ示している。
【００１６】
図１は、ウェブサイトのコンテンツに最初にアクセスしたときの動作概要を示す説明図である。
【００１７】
ＷＷＷクライアント−ＷＷＷサーバ間のコンテンツ取得のリクエストおよびこれに対する応答の流れは、概略、次のようになっている。
（１）  ｈｔｔｐブラウザ２２が、ユーザ指定のＵＲＬに対応のＷＷＷサーバ１にｈｔｔｐのリクエストメッセージ（Ｇｅｔメソッドなど）を送る。
（２）  ｈｔｔｐサーバ１２が、ＵＲＬで指定されたコンテンツ（ウェブページ）を記憶装置（ＷＷＷコンテンツ）１１から取り出してＷＷＷクライアント２に送る。
（３）  ｈｔｔｐブラウザ２２が、受信したコンテンツをブラウザキャッシュ２１に保持する。このときのファイル名は、ファイル名作成部２２ｃが受信コンテンツ中のＵＲＬから生成したものである（図７参照）。
（４）  ｈｔｔｐブラウザ２２（フレーム分割部２２ｂ）が、フレーム情報およびフレームテンプレート２４ａ（図８参照）に基づく画面設定用のフレームを生成して、画面表示部（図示省略）に出力する。
【００１８】
なお、上記（４）  のとき、ブラウザキャッシュ２１に保持されている（フレームに対応の）テキスト，表，図形，画像などの表示用データも画面表示部に出力される。
【００１９】
また、フレームテンプレート２４ａは、フレームテンプレート変更部２２ａが初期状態のフレームテンプレート２４の＜ＦＲＡＭＥ＞  タグの「ＳＲＣ」にファイル名を代入するなどの処理を実行した、後のものである。フレームテンプレート２４ａはテンプレートファイル２３に保持されてその後の図３の処理などで使用される。
【００２０】
ここで、ユーザ指定のフレームテンプレート（図３参照）に基づくフレーム分割（ａ）  と、ＷＷＷサーバ１からのフレーム情報に基づくフレーム分割（ｂ）  との関係は、テンプレート対応のフレーム分割（ａ）  による個々のフレームの中で、フレーム情報対応のフレーム分割（ｂ）  が実行される形になっている。
【００２１】
図２は、このフレーム分割の関係を示す説明図である。
【００２２】
図２の場合は、
（ａ）  フレームテンプレート２４によるユーザからの分割指定は「横分割で分割比が５０％」であり、
（ｂ）  フレーム情報によるＷＷＷサーバからの分割指定は「横分割で分割比が３０％」であり、
（ｃ）  このときの生成フレームは、初期フレームを横方向に等分割してそれぞれの分割フレームを横方向に「３：７」に再分割した形のものとなる、
ことを示している。
【００２３】
なお、図１のアクセスモードでは、フレームテンプレート２４の「分割比」の代入値が初期値「１００％（＝分割しない）」の場合を前提にしている。そのため、生成フレームの分割態様はもっぱらフレーム情報によって設定される。
【００２４】図３は、ＷＷＷクライアントにおけるフレーム分割時の動作概要を示す説明図である。
【００２５】
この動作概要の流れは次のようになっている。
（１１）ユーザが、入力部２５から、フレーム分割の「分割比」および「分割方向」を指定する。入力されたこれらのフレーム分割用データ（フレーム分割方法）はメモリやレジスタなどの各種記憶手段に格納される。
（１２）フレームテンプレート変更部２２ａが、フレームテンプレート２４ａの＜ＦＲＡＭＥＳＥＴ＞タグ（図８参照）に当該入力データを代入するなどして、フレームテンプレート２４ｄ（図９参照）を生成する。
（１３）ｈｔｔｐブラウザ２２が、ブラウザキャッシュ２１に保持されているフレーム情報を取り出す。
（１４）ｈｔｔｐブラウザ２２が、フレームテンプレート２４ｄおよび当該フレーム情報に基づく画面設定用フレームを生成して、画面表示部（図示省略）に出力する。このとき、ブラウザキャッシュ２１に保持されている（各フレームに対応の）テキスト，表，図形，画像などの表示用データも画面表示部に出力される。
【００２６】
図４は、図１のアクセスモードにおけるＷＷＷクライアントの処理手順を示す説明図であり、その内容は次のようになっている。なお、図４および図５の処理の実行主体はｈｔｔｐブラウザ２２などである。
（ｓ１１）  ＷＷＷサーバ１から所定のコンテンツを受信して例えばワーク領域（図示省略）に保持する。
（ｓ１２）  閲覧サイトのＵＲＬに対応したファイル名を作成する（図７参照）。
（ｓ１３）  受信コンテンツに当該ファイル名を付してブラウザキャッシュ２１に保持する。
（ｓ１４）  テンプレートファイル２３から初期状態のフレームテンプレート２４（図８参照）を取り出す。
（ｓ１５）  フレームテンプレート２４の＜ＦＲＡＭＥ＞  タグの「ＳＲＣ」に上記（ｓ１２）  のファイル名を代入する。
（ｓ１６）  フレームテンプレート２４の＜ＴＩＴＬＥ＞  タグにコンテンツの＜ＴＩＴＬＥ＞  タグを代入する（上書きする）。
（ｓ１７）  分割数ｎ（変数）に初期値「１」を設定する。なお、この分割数は図５の処理で用いられる。
（ｓ１８）  上記（ｓ１５）  ，（ｓ１６）  の処理後のフレームテンプレート２４ａ（図８参照）を別名でテンプレートファイル２３に保持する。
（ｓ１９）  フレームテンプレート２４ａに基づいてその中のファイル名のコンテンツを画面表示する（図１１参照）。なお、この画面表示の際のフレーム分割処理は図６の手順による。
【００２７】
図５は、図３の分割モードにおけるＷＷＷクライアントの処理手順を示す説明図であり、その内容は次のようになっている。
（ｓ２１）  上記（ｓ１７）  の分割数ｎに「１」を加える。すなわち１回目のフレーム分割処理の場合、分割数ｎは「２」となる。
（ｓ２２）  フレームテンプレート２４ａをテンプレートファイル２３から取り出す。
（ｓ２３）  ユーザが画面上（図１２参照）で指定した「分割方向」および「分割比」の各データを例えばレジスタ（図示省略）に保持する。
（ｓ２４）  指定された「分割方向」を判断して、「縦」の場合は次のステップに進み、「横」の場合はステップ（ｓ２６）  に進む。
（ｓ２５）  フレームテンプレート２４ａの＜ＦＲＡＭＥＳＥＴ＞タグに「ＲＯＷＳ＝１００％」を代入して（フレームテンプレート２４ｂ：図９参照）ステップ（ｓ２７）  に進む。
（ｓ２６）  フレームテンプレート２４ａの＜ＦＲＡＭＥＳＥＴ＞タグに「ＣＯＬＳ＝１００％」を代入して次のステップに進む。なお、当該フレームテンプレートの場合は、＜ＦＲＡＭＥＳＥＴ＞タグにこの内容が初期設定されているので当該ステップの代入処理による実質的な変更はない。
（ｓ２７）  指定された「分割比（例えば５０％）」を、フレームテンプレート２４ａ（横分割）または２４ｂ（縦分割）の＜ＦＲＡＭＥＳＥＴ＞タグに代入する（フレームテンプレート２４ｃ：図９参照）。
（ｓ２８）  このフレームテンプレート２４ｃに、フレームテンプレート２４と同一の＜ＦＲＡＭＥ＞  タグを加える。
（ｓ２９）  この追加した＜ＦＲＡＭＥ＞  タグの「ＳＲＣ」に、上記（ｓ１２）  のファイル名を代入する。
（ｓ３０）  この追加した＜ＦＲＡＭＥ＞  タグの「ＮＡＭＥ」に「ＦＲＡＭＥ（分割数）ｎ」を代入する。
（ｓ３１）  上記（ｓ２９）  ，（ｓ３０）  の処理実行後のフレームテンプレート２４ｄ（図１０参照）を別名でテンプレートファイル２３に保持する。
（ｓ３２）  フレームテンプレート２４ｄに基づいてその中のファイル名のコンテンツを画面表示する（図１３参照）。なお、この画面表示の際のフレーム分割処理は図６の手順による。
【００２８】
図６は、フレーム分割処理の手順を示す説明図であり、その内容は次のようになっている。
（ｓ４１）  フレームテンプレート２４ａまたは２４ｄの分割比が「１００％」であるかどうかを判断して、「Ｙｅｓ」の場合はステップ（ｓ４５）  に進み、「Ｎｏ」の場合は次のステップに進む。ここで「Ｙｅｓ」となるのは、フレームテンプレート２４ａを用いるとき、すなわち図１のアクセスモードのときである。
（ｓ４２）  この分割比（例えば５０％）および分割方向に基づいて初期フレームを分割する。
（ｓ４３）  ＷＷＷサーバ１からのフレーム情報の中で「フレーム分割」が指定されているかどうかを判断して、「Ｙｅｓ」の場合は次のステップに進み、「Ｎｏ」の場合はフレーム分割処理を終了する。
（ｓ４４）  上記（ｓ４２）  で分割した後の個々のフレームを当該指定内容に基づいて再分割する。
（ｓ４５）  ＷＷＷサーバ１からのフレーム情報の中で「フレーム分割」が指定されているかどうかを判断して、「Ｙｅｓ」の場合は次のステップに進み、「Ｎｏ」の場合はフレーム分割処理を終了する。
（ｓ４６）  当該指定内容に基づいて初期フレームを分割する。
【００２９】
図７は、図４の（ｓ１２）  で実行したＵＲＬの対応付け、すなわち閲覧サイトのＵＲＬとこれに対応するファイル名との関係を示す説明図である。
【００３０】
このときの対応付けルールは、
・ＵＲＬのスキーマ部や「：」を削除し、
・ＵＲＬの「．」，「／」を「＿」に置換する（ただし拡張子の前の「．」は置換しない）、
ことである。
【００３１】
図８は、初期状態のフレームテンプレート２４および最初のアクセス時のフレームテンプレート２４ａを示す説明図である。
【００３２】
フレームテンプレート２４において、＜ＴＩＴＬＥ＞  タグ，＜ＦＲＡＭＥＳＥＴ＞タグおよび＜ＦＲＡＭＥ＞  タグの各部分が以後の代入処理対象部分である。
【００３３】
なお、このフレームテンプレート２４の初期値として、
・＜ＴＩＴＬＥ＞  タグには「フレームテンプレート」
・＜ＦＲＡＭＥＳＥＴ＞タグには「ＣＯＬＳ＝１００％」
・＜ＦＲＡＭＥ＞  タグには「ＮＡＭＥ＝ＦＲＡＭＥ１」
がそれぞれ設定されている。なお、「ＣＯＬＳ」は横分割を指示している。
【００３４】
そして、フレームテンプレート２４ａは、
・フレームテンプレート２４の＜ＴＩＴＬＥ＞  タグに、閲覧中のサイトのタイトルタグと同じ「ＦＵＪＩＴＳＵ  Ｊａｐａｎ  」
・フレームテンプレート２４の＜ＦＲＡＭＥ＞  タグに、図７のＵＲＬ対応付け後のファイル名
がそれぞれ代入された形になっている。
【００３５】
なお、フレームテンプレート変更部２２ａは、＜ＦＲＡＭＥ＞  タグにファイル名を代入するとき、そのファイル自体の存在場所を示すパス「／ｈｔｍｌｃａｃｈｅ／  」を当該ファイル名の前に自動付与する。
【００３６】
図９は、分割方向（縦分割で分割比は初期値のまま）の代入直後のフレームテンプレート２４ｂと、分割方向および分割比（横分割，５０％）の代入直後のフレームテンプレート２４ｃを示す説明図である。
【００３７】
なお、説明の便宜上、フレームテンプレート２４ｂは「縦方向分割」の場合を示し、フレームテンプレート２４ｃは「横方向分割」の場合を示している。
【００３８】
ここで、各フレームテンプレート２４ｂ，２４ｃは、図８のフレームテンプレート２４ａに比べて、
・フレームテンプレート２４ｂの＜ＦＲＡＭＥＳＥＴ＞タグに「ＲＯＷＳ＝」が新たに代入された形となり、
・フレームテンプレート２４ｃの＜ＦＲＡＭＥＳＥＴ＞タグに「ＣＯＬＳ＝５０％」が新たに代入された形になっている。
【００３９】
図１０は、分割方向および分割比（横分割，５０％）の代入後の最終的なフレームテンプレート２４ｄを示す説明図である。
【００４０】
このフレームテンプレート２４ｄは、フレームテンプレート２４ｂ，２４ｃに「ＮＡＭＥ＝ＦＲＡＭＥ２」などを記述した新たな＜ＦＲＡＭＥ＞  タグを付加した形になっている。
【００４１】
図１１は、ウェブサイトのコンテンツに最初にアクセスしたときの表示画面、すなわちフレームテンプレート２４ａに対応の表示画面を示す説明図である。
【００４２】
図１２は、ユーザが分割方向および分割比を指定する分割設定画面を示す説明図であり、（ａ）は分割設定ダイアログを起動できるメニューバー、（ｂ）は分割設定ダイアログを起動できる右クリックメニュー、（ｃ）は分割設定ダイアログをそれぞれ示している。
【００４３】
ここで、分割比を「ｘ（例えば５０」に設定した場合、最も上（縦分割）または左（横分割）のフレームのエリアがｘ％で残りが（１００−ｘ）％となる。
【００４４】
また、複数の分割比を設定できるようにしてもよい。例えばｘ，ｙと設定した場合は、最も上（縦分割）または左（横分割）のフレームのエリアがｘ％で、その次がｙ％で、その次が（１００−ｘ−ｙ）％となる。
【００４５】
図１３は、図１０のフレームテンプレート２４ｄに対応の表示画面を示す説明図である。
【００４６】
各分割フレームには上下，左右のスクロールボタンが設定されているので、ユーザは分割フレームごとに表示エリアを自由に設定できる。また、各分割フレームに別々のコンテンツを表示できることは勿論である。
【００４７】
図１１〜図１３の各表示画面上部の「アドレス」欄には、当該画面の分割フレームを設定しているフレームテンプレートの存在場所（図示の場合はテンプレートファイル２３）が表示されている。
【００４８】
なお、フレーム分割表示用データとしてフレームテンプレートを用いることに代えて、当該データを例えばフレーム分割用のプログラムの中に代入するようにしてもよい。
【００４９】
また、ウェブサイトから取得したコンテンツをブラウザキャッシュ以外の各種の記憶装置に保持するようにしてもよいことは勿論である。
【００５０】
以上のフレーム分割のための処理プログラムを格納する記録媒体としては、
・プログラム提供者側のデータベース（ＤＡＳＤなどの回線先メモリ）
・各種形式の可搬型記録媒体
・コンピュータ本体部側のＲＡＭやハードディスク
などのいずれでもよい。当該プログラムはコンピュータ本体部にローディングされてその主メモリ上で実行される。
【００５１】
（付記１）サーバから送信されたコンテンツを受信するステップと、
前記コンテンツを、前記コンテンツに対応するフレーム分割方法を格納した記憶手段中の前記フレーム分割方法に基づいてフレーム分割するステップ
をコンピュータに実行させるためのフレーム分割プログラム。
（付記２）前記フレーム分割ステップは、テンプレート格納した記憶手段中のテンプレートを用いてフレーム分割することを特徴とする付記１記載のフレーム分割プログラム。
（付記３）サーバから送信されたコンテンツを受信するステップと、
前記コンテンツを、所定のルールに基づいてフレーム分割準備ファイルに変換するステップと、
前記フレーム分割準備ファイルを、前記コンテンツに対応するフレーム分割方法を格納した記憶手段中の前記フレーム分割方法に基づいてフレーム分割用ファイルに加工するステップ
をコンピュータに実行させるためのフレーム分割プログラム。
（付記４）前記加工ステップは、テンプレート格納した記憶手段中のテンプレートを用いて前記フレーム分割準備ファイルを加工することを特徴とする付記３記載のフレーム分割プログラム。
（付記５）サーバから送信されたコンテンツを受信するステップと、
前記コンテンツを、前記コンテンツに対応するフレーム分割方法を格納した記憶手段中の前記フレーム分割方法に基づいてフレーム分割するステップ
を備えたことを特徴とするフレーム分割方法。
（付記６）サーバから送信されたコンテンツを受信する手段と、
前記コンテンツに対応するフレーム分割方法を格納した記憶手段と、
前記コンテンツを、前記フレーム分割方法に基づいてフレーム分割する手段
を備えたことを特徴とするフレーム分割装置。
【００５２】
【発明の効果】
本発明は、このように、サーバ側から取得したコンテンツの表示画面のフレームをユーザが指定する内容（分割比，分割方向）により分割しているので、サーバ上のコンテンツに影響を与えることなしに、受信コンテンツ閲覧時の利便性を高めることができる。
【００５３】
また、取得コンテンツのファイル名として閲覧先サーバの識別情報（ＵＲＬなど）に対応したものを用い、かつ当該ファイル名をユーザ指定の分割比，分割方向などとともにフレーム分割表示用データとして用いているので、分割フレームへの表示コンテンツの割当て処理を効率的に行なうことができる。
【００５４】
また、フレーム分割表示用データが設定されるフレームテンプレートを用いているので、当該データの設定処理の簡単化，効率化を図ることができる。
【図面の簡単な説明】
【図１】本発明の、ウェブサイトのコンテンツに最初にアクセスしたときの動作概要を示す説明図である。
【図２】本発明の、フレームテンプレート（ユーザ設定）に基づくフレーム分割とフレーム情報（サーバ設定）に基づくフレーム分割との関係を示す説明図である。
【図３】本発明の、ＷＷＷクライアントにおけるフレーム分割時の動作概要を示す説明図である。
【図４】本発明の、図１のアクセスモードにおけるＷＷＷクライアントの処理手順を示す説明図である。
【図５】本発明の、図３の分割モードにおけるＷＷＷクライアントの処理手順を示す説明図である。
【図６】本発明の、フレーム分割処理の手順を示す説明図である。
【図７】本発明の、図４の（ｓ１２）  で実行したＵＲＬの対応付けを示す説明図である。
【図８】本発明の、初期状態のフレームテンプレート２４および最初のアクセス時のフレームテンプレート２４ａを示す説明図である。
【図９】本発明の、分割方向（縦分割，分割比は初期値のまま）の代入直後のフレームテンプレート２４ｂと、分割方向および分割比（横分割，５０％）の代入直後のフレームテンプレート２４ｃを示す説明図である。
【図１０】本発明の、分割方向および分割比（横分割，５０％）の代入後の最終的なフレームテンプレート２４ｄを示す説明図である。
【図１１】本発明の、ウェブサイトのコンテンツに最初にアクセスしたときの表示画面を示す説明図である。
【図１２】本発明の、ユーザが分割方向および分割比を指定する分割設定画面を示す説明図である。
【図１３】本発明の、図１０のフレームテンプレート２４ｄに対応の表示画面を示す説明図である。
【符号の説明】
１：ウェブサイトを構成するＷＷＷサーバ
１１：ＷＷＷコンテンツを格納した記憶装置
１２：ｈｔｔｐサーバ（ソフトウェア）
２：ＷＷＷクライアント
２１：ブラウザキャッシュ
２２：ｈｔｔｐブラウザ（ソフトウェア）
２２ａ：フレームテンプレート変更部
２２ｂ：フレーム分割部
２２ｃ：ファイル名作成部
２３：フレーム分割用のテンプレートファイル
２４：初期状態のフレームテンプレート
２４ａ〜２４ｄ
：代入処理後のフレームテンプレート
２５：入力部
【図１】
2004246763.tif 000003
【図２】
2004246763.tif 000004
【図３】
2004246763.tif 000005
【図４】
2004246763.tif 000006
【図５】
2004246763.tif 000007
【図６】
2004246763.tif 000008
【図７】
2004246763.tif 000009
【図８】
2004246763.tif 000010
【図９】
2004246763.tif 000011
【図１０】
2004246763.tif 000012
【図１１】
2004246763.tif 000013
【図１２】
2004246763.tif 000014
【図１３】
2004246763.tif 000015